(57)【要約】【課題】外乱光の影響による原稿サイズの誤検知を防止して正確な検知を可能にし、且つ、原稿サイズの検知の効率化による検知時間の短縮を可能にする画像読取装置を提供する。【解決手段】画像読取装置は、原稿サイズ検知センサ１５０によって副走査方向の原稿サイズが所定のサイズ以下であるか否かを検知して、ＣＣＤ１４０によって主走査方向の原稿サイズを検知し、スキャナコントローラ３００は原稿サイズ検知センサ及びＣＣＤを制御して、ランプ１１１を消灯したときのＣＣＤの検知結果の出力の中に所定の出力値よりも小さい値の部分が有る場合には第１の原稿サイズ判断処理を行い、ＣＣＤの検知結果の出力が所定の出力値以上である場合には第２の原稿サイズ判断処理を行い、原稿サイズ検知センサ及びＣＣＤのそれぞれの検知結果から原稿サイズを判断する。【選択図】      図５
2004264529.tif 000002
【特許請求の範囲】
【請求項１】
読み取る原稿を載置するための原稿台と、当該原稿台に載置した原稿を照射する光源とを備えた画像読取装置において、
副走査方向の原稿サイズが所定のサイズ以下であるか否かを検知する第１の検知手段と、
前記副走査方向に直交する主走査方向の原稿サイズを検知する第２の検知手段と、
前記第１及び第２の検知手段を制御するとともに前記第１及び第２の検知手段のそれぞれの検知結果から原稿サイズを判断する制御・判断手段とを備え、
前記制御・判断手段は、前記光源を消灯したときの前記第２の検知手段の検知結果の出力の中に所定の出力値よりも小さい値の部分が有る場合には第１の原稿サイズ判断処理を行い、前記第２の検知手段の検知結果の出力が所定の出力値以上である場合には第２の原稿サイズ判断処理を行うことを特徴とする画像読取装置。
【発明の詳細な説明】
【０００１】
【発明の属する技術分野】
本発明は、読み取る原稿を載置するための原稿台と、当該原稿台に載置した原稿を照射する光源とを備えた画像読取装置に関する。
【０００２】
【従来の技術】
従来、画像読取対象の原稿のサイズを検知する装置には多種多様な方式がある。例えば、原稿の先端部に光源からの光を照射して原稿からの反射光をＣＣＤで読み取ることによって主走査方向の幅を読み取り、また、副走査方向には原稿サイズ検知センサを配置して原稿の長さを読み取り、これら２つの読み取り結果に基づいて原稿サイズを検知する原稿サイズ検知方法がある。このように主走査方向の幅の検知にのみ原稿読取り用のＣＣＤを使用して原稿サイズを検知することにより、原稿サイズ検知センサの設置数を少なくでき、低コストで且つ効率的な自動原稿検知ができる。（例えば、特許文献１参照）
更には、画像読取対象である原稿を抑える原稿圧板の開閉を検知して、原稿圧板が開かれた状態で検知した外乱光分布を記憶し、原稿圧板が閉まった状態で光源を点灯して原稿面を走査し、その反射光を受光した光電変換手段から出力された反射光信号から上記の記憶した外乱光分布を差し引いて、原稿サイズを判別する手法も知られている（例えば、特許文献２参照）。
【０００３】
【特許文献１】
特開平５−２０７２３９号公報
【特許文献２】
特開平９−１３５３３０号公報
【０００４】
【発明が解決しようとする課題】
上述の特許文献１に開示された原稿サイズ検知方法によれば、基本的な原稿の検知は可能であるが、原稿からの反射光を読み取るときに室内灯など、原稿サイズ検知方法を実施する装置以外からの外乱光も同時に読み取ってしまうので、外乱光と原稿からの反射光との区別ができない。このため、原稿サイズの誤検知を招く可能性があるという問題がある。
【０００５】
一方、このような外乱光による誤検知を回避する方法として、上記の特許文献２に開示された技術によっても、省エネのために原稿面走査用の光源の光量を暗くして光電変換手段の感度を上げたりして、外乱光が非常に敏感に検知されてしまう状態にある場合や、第二原図用紙のように透過率の高い用紙に作成された原稿の場合などのときには、外乱光による影響を光電変換手段が検出してしまい、それを外乱光として記憶してしまうので原稿サイズの誤検知を招く可能性があるという問題がある。
【０００６】
本発明は、上述した点に鑑みなされたものであり、外乱光の影響による原稿サイズの誤検知を防止して正確な検知を可能にし、且つ、原稿サイズの検知の効率化による検知時間の短縮を可能にする画像読取装置を提供することを目的とする。
【０００７】
【課題を解決するための手段】
上記目的を達成するため、請求項１記載の発明は、読み取る原稿を載置するための原稿台と、当該原稿台に載置した原稿を照射する光源とを備えた画像読取装置において、副走査方向の原稿サイズが所定のサイズ以下であるか否かを検知する第１の検知手段と、前記副走査方向に直交する主走査方向の原稿サイズを検知する第２の検知手段と、前記第１及び第２の検知手段を制御するとともに前記第１及び第２の検知手段のそれぞれの検知結果から原稿サイズを判断する制御・判断手段とを備え、前記制御・判断手段は、前記光源を消灯したときの前記第２の検知手段の検知結果の出力の中に所定の出力値よりも小さい値の部分が有る場合には第１の原稿サイズ判断処理を行い、前記第２の検知手段の検知結果の出力が所定の出力値以上である場合には第２の原稿サイズ判断処理を行うことを特徴とする画像読取装置。
【０００８】
【発明の実施の形態】
以下、本発明の実施の形態に係る画像形成装置を図面を参照しながら詳細に説明する。
【０００９】
図１は、本発明の実施の形態に係る画像読取装置の画像読取系の概略構成を示す図である。図２は、図１の画像読取装置の平面図である。
【００１０】
画像読取装置は、例えば、デジタル複写機、スキャナ、ファクシミリ装置等であり、画像を読み取る機能を備えた電子装置である。図１に示すように、画像形成装置の筐体１００内には原稿を読み取るための読取系及びその他の不図示の部材や装置等が配設されており、筐体１００の上には読取り対象となる原稿Ｄを載置するための原稿台ガラス２００が配設されている。なお、原稿台ガラス２００を覆うように閉じ、また、開くことができる原稿圧板（図示せず）が配設されている。
【００１１】
読取系は、副走査方向（矢印Ａ方向）に往復動可能な光学台１１０，１２０、それぞれ固定された（集光レンズ１３０、光電変換手段であるＣＣＤ１４０（第２の検知手段）、及び原稿サイズ検知センサ１５０（第１の検知手段）等から構成されている。
【００１２】
光学台１１０，１２０は後述する光学モータ１６０によって矢印Ａ方向に個別に移動する。光学台１１０には原稿台ガラス２００に載置された原稿Ｄの原稿面に光を照射するためのランプ１１１（光源）、及び当該ランプ１１１が照射し、原稿面によって反射された反射光の進路を変更するためのミラー１１２が配設されている。光学台１２０にはミラー１１２からの反射光の進路を変更するためのミラー１２１，１２２が配設されている。これらミラー１２１，１２２により、ミラー１１２からの反射光はその進行方向を集光レンズ１３０に向けられる。
【００１３】
反射光の進行方向に向かって集光レンズ１３０よりも下流にはＣＣＤ１４０が配設されている。このＣＣＤ１４０は、上述した如くランプ１１１から照射され、原稿Ｄの画像面で反射した反射光を受けて原稿の読み取りを行う。原稿面からの反射光は集光レンズ１３０によって集光されてこのＣＣＤ１４０によって受光される。ＣＣＤ１４０は受光した光によって光電変換を行う光電変換素子である。
【００１４】
ＣＣＤ１４０の上方には原稿サイズ検知センサ１５０が配設されている。この原稿サイズ検知センサ１５０は、原稿台ガラス２００に載置された原稿Ｄの副走査方向の原稿サイズを検知するためのものであり、原稿台ガラス２００上に原稿が有るか否かを２値で出力する。
【００１５】
図２に示すように、原稿Ｄを載置する原稿台ガラス２００の周縁部には、様々な原稿のサイズを示す原稿サイズラベル２１０が設けられている。原稿サイズラベル２１０は原稿サイズを示すとともに原稿Ｄを載置すべき位置を示している。図２の原稿台ガラス２００上で左上の原稿サイズラベル２１０の内側角部は基準突当て部であり、ここには原稿合わせマーク２２０が示されている。この原稿合わせマーク２２０に定型サイズ原稿の角を合わせることにより、定型サイズ原稿は図２に示す各原稿サイズ毎のラインに合った位置に載置されることとなる。
【００１６】
図３は画像読取装置の制御系の構成を示すブロック図である。
【００１７】
画像読取装置の制御系は、ランプ１１１、ＣＣＤ１４０、原稿サイズ検知センサ１５０、Ａ／Ｄ変換回路１４１、光学モータ１６０、スキャナコントローラ３００（制御・判断手段）、及び表示部４００を備えている。上述したようにＣＣＤ１４０等は読取系でもある。
【００１８】
Ａ／Ｄ変換回路１４１は、ＣＣＤ１４０からのアナログ出力信号をアナログ／デジタル変換して、デジタル信号として出力する。光学モータ１６０は、原稿Ｄを走査するために光学台１１０及び光学台１２０を移動させるものである。
【００１９】
スキャナコントローラ３００は、ＣＣＤ１４０、光学モータ１６０、ランプ１１１、原稿サイズ検知センサ１５０を制御し、Ａ／Ｄ変換回路１４１から出力されるデジタル信号から副走査方向に直交する主走査方向（矢印Ｂ方向）における原稿Ｄの長さを検知する。また、スキャナコントローラ３００は原稿サイズ検知センサ１５０により原稿Ｄの副走査方向のサイズを判断し、これら２つの検知結果に基づいて原稿サイズの判定を行い、その結果を表示部４００に表示する。また、スキャナコントローラ３００は、後述の図５のフローチャートに示す原稿サイズ検知処理を実行する。
【００２０】
図４は、原稿サイズ判定の際の検知ポイントを示す、図２と同様の平面図である。
【００２１】
原稿サイズ検知センサ（反射型センサ）１５０は図示したように原稿台ガラス２００の矢印Ａ方向（副走査方向）の中央よりもやや右寄りで原稿サイズラベル２１０近傍の内側下方の検知ポイントに配置されている。この例では、Ｂ６、Ａ５、Ｂ５、及びＡ４（非検知グループ）の各版の原稿は検知しないが、Ｂ５Ｒ、Ａ４Ｒ、Ｂ４及びＡ３（検知グループ）の各版の原稿は検知する位置（検知ポイント）に原稿サイズ検知センサ１５０が配置されている。この原稿サイズ検知センサ１５０の出力によって原稿Ｄの副走査方向のサイズが非検知グループに属する原稿に該当するのか、検知グループに属する原稿に該当するのかを判断することができる。原稿の主走査方向（矢印Ｂ方向）のサイズを検知するために、光学モータ１６０の駆動によって移動した光学台１１０が原稿台ガラス２００の矢印Ａ方向左端部にある原稿サイズラベル２１０近傍の内側の検知ポイントＰに配置されている。これら読取系によって導き、ＣＣＤ１４０によって読み取ったデータを基にして原稿の主走査方向のサイズが検出される。原稿サイズ検知センサ１５０の出力の有無、及びＣＣＤ１４０で検出したデータを基にして、スキャナコントローラ３００が原稿サイズを判定する。
【００２２】
次に、本発明の実施の形態に係る画像読取装置における原稿サイズ検知方法を詳細に説明する。
【００２３】
図５は、本発明の実施の形態に係る画像読取装置における原稿サイズ検知方法の処理を示すフローチャートである。
【００２４】
この原稿サイズ検知方法においてＣＣＤ１４０が外乱光の影響を受け難い場合（第１の原稿サイズ判断処理：ステップＳ５０１〜Ｓ５０９）とＣＣＤ１４０が外乱光の影響を受け易い場合（第２の原稿サイズ判断処理：ステップＳ５０１〜Ｓ５０４，Ｓ５１０〜Ｓ５１３）とで処理が異なる。
【００２５】
画像読取装置の側方から見た蛍光灯の位置を示す図６及び画像読取装置の上方から見た蛍光灯の位置を示す図７に示すように画像読取装置のほぼ真上に蛍光灯１０がある場合における原稿サイズ検知動作について以下に説明する。
【００２６】
先ず、ＣＣＤ１４０が外乱光の影響を受けにくい場合（ステップＳ５０１〜Ｓ５０９）について説明する。ＣＣＤ１４０が外乱光の影響を受けにくい場合とは、例えば、原稿Ｄの透過率が低い場合、ＣＣＤ１４０の感度が低い場合等である。
【００２７】
画像読取装置のスキャナコントローラ３００は、副走査方向の原稿サイズを検知する原稿サイズ検知センサ１５０を制御し、この原稿サイズ検知センサ１５０から出力される２値出力信号に基づいて原稿台ガラス２００上に原稿Ｄが有るか無いかと原稿Ｄの副走査方向のサイズとを判定する（ステップＳ５０１）。この際の判定によって原稿Ｄの副走査方向のサイズが図１３に示すように非検知グループに属する原稿に該当するものか又は検知グループに属するもかに限定される。図１３は画像読取装置における原稿サイズ判定結果を示す説明図である。この段階では、例えば、原稿サイズ検知センサ１５０が原稿台ガラス２００上に原稿Ｄを検知したときは、原稿Ｄは定型サイズのＢ５Ｒ、Ａ４Ｒ、Ｂ４及びＡ３（検知グループ）に限定される。また、原稿サイズ検知センサ１５０が原稿台ガラス２００上に原稿を検知しないときは、原稿Ｄは定型サイズのＢ６、Ａ５、Ｂ５及びＡ４（非検知グループ）に限定される。
【００２８】
次に、スキャナコントローラ３００はランプ１１１を消灯し、原稿面の主走査方向情報をＣＣＤ１４０によって読み取る（ステップＳ５０２）。このときのＣＣＤ１４０の出力特性を図８に示す。図８は、ＣＣＤ１４０の出力特性を主走査位置との関係により示す図である。
【００２９】
図８に示すように原稿台ガラス２００上に原稿Ｄが載置されている部分は原稿Ｄを透過する光の透過率が低いので、蛍光灯１０からの光がけられて（遮られて）ＣＣＤ１４０からの出力はない。一方、原稿Ｄが無い部分からは外乱光である蛍光灯１０の光がＣＣＤ１４０に入るので、ＣＣＤ１４０からの出力が有る。
【００３０】
原稿台ガラス２００上に載置された原稿Ｄによる外乱光のけられを利用し、スキャナコントローラ３００はＣＣＤ１４０の出力信号をＡ／Ｄ変換回路１４１によりデジタル信号として読み取って、このデジタル信号の値を予め設定された所定閾値と比較して外乱光の有り無しの判断を行う（ステップＳ５０３）。デジタル信号の中に前述した所定閾値よりも小さい値の部分が無いのか有るのかによって全てのポイントに外乱光が有るか否かを判別するが（ステップＳ５０４）、ここでは外乱光の影響を受け難い場合として説明しているので、デジタル信号の中に前述した所定閾値よりも小さい値の部分が有り、したがって、全てのポイントに外乱光が有るわけではなく、ステップＳ５０４はＮＯである。なお、本実施の形態ではステップＳ５０４の判断を全てのポイントに外乱光が有るか否かを検出するようにしているが、全てのポイントで検出を行うと時間がかかる場合などには、予め定めた複数ポイントだけで検出するようにしてもよい。
【００３１】
次に、外乱光が有ると判断したポイントを検知ポイントから除外する（ステップＳ５０５）。このようにして除外するポイントを図９に示す。図９は、ＣＣＤ１４０の出力の検知除外範囲を示す図である。
【００３２】
次に、スキャナコントローラ３００はランプ１１１を点灯し、ＣＣＤ１４０によって原稿面情報を読み込む（ステップＳ５０６）。このときのＣＣＤ１４０の出力特性を図１０に示す。図１０は、ＣＣＤ１４０の出力と主走査位置との関係及びＣＣＤ１４０の出力の検知除外範囲を示す図である。
【００３３】
次に、スキャナコントローラ３００は、ＣＣＤ１４０の出力信号をＡ／Ｄ変換回路１４１で変換した後のデジタル信号を読み取り、このデジタル信号の値が予め設定された所定閾値よりも大きいか否かによって原稿からの反射光の有り無しの判断を行い（ステップＳ５０７）、デジタル信号が所定閾値よりも大きい部分（反射光が有るポイント）を原稿有りと判断する（ステップＳ５０８）。
【００３４】
この後、スキャナコントローラ３００は、原稿サイズ検知センサ１５０による副走査方向の原稿サイズの判定結果とＣＣＤ１４０による主走査方向の原稿サイズの判定結果とに基づいて、原稿サイズを判定し（特定し）、表示部４００に判定結果を表示する（ステップＳ５０９）。図１３に示すように、この判定結果は原稿サイズを１つに特定したものとなる。
【００３５】
以上が通常時の原稿サイズ検知処理、すなわち、ＣＣＤ１４０が外乱光の影響を受けにくい場合の検知処理である。
【００３６】
次に、ＣＣＤ１４０が外乱光の影響を受け易い場合（ステップＳ５０１〜Ｓ５０４，Ｓ５１０〜Ｓ５１３）について説明する。ＣＣＤ１４０が外乱光の影響を受け易い場合とは、例えば、原稿の透過率が高い場合、ＣＣＤ１４０の感度が高い場合等である。
【００３７】
画像読取装置のスキャナコントローラ３００は、副走査方向の原稿サイズを検知する原稿サイズ検知センサ１５０を制御し、この原稿サイズ検知センサ１５０から出力される２値出力信号に基づいて原稿の有り無しと原稿の副走査方向のサイズとを判定する（ステップＳ５０１）。上述したように、この際の判定によって原稿Ｄの副走査方向のサイズが図１３に示すようにいくつかの定型サイズの原稿のものに限定される。
【００３８】
次に、スキャナコントローラ３００はランプ１１１を消灯し、原稿面の主走査方向情報をＣＣＤ１４０により読み取る（ステップＳ５０２）。このときのＣＣＤ１４０の出力特性を図１１に示す。図１１は、ＣＣＤ１４０の出力特性を主走査位置との関係により示す図である。
【００３９】
図１１に示すように、原稿台ガラス２００上で原稿Ｄがない部分からは外乱光である蛍光灯１０の光がＣＣＤ１４０に入ってくる。また、原稿台ガラス２００上に原稿Ｄが載置されている部分であっても原稿Ｄの透過率が高いために、外乱光が入ってきている。この場合、外光が原稿Ｄによって遮られる量は少ないので、原稿サイズの誤検知を招くこととなる。しかし、原稿Ｄが無い部分と原稿Ｄが有る部分との外光の入射光量を比較すると、原稿Ｄが有る部分は画像読取装置の上方の蛍光灯１０からの光が原稿Ｄによって多少遮られてＣＣＤ１４０に入っている。
【００４０】
上記の載置原稿Ｄによる外乱光のけられを利用するため、スキャナコントローラ３００はＣＣＤ１４０の出力信号をＡ／Ｄ変換回路１４１によりデジタル信号として読み取って、このデジタル信号の値を予め設定された所定閾値と比較して外乱光の有り無しの判断を行う（ステップＳ５０３）。デジタル信号の中に前述した所定閾値よりも小さい値の部分が無いのか有るのかによって全てのポイントに外乱光が有るか否かを判別するが（ステップＳ５０４）、ここでは外乱光の影響を受け難い場合として説明しているので、デジタル信号の中に前述した所定閾値よりも小さい値の部分が有り、したがって、全てのポイントに外乱光が有るわけではなく、ステップＳ５０４はＮＯである。
【００４１】
次に、上述した外乱光の影響を受け難い場合とは異なる原稿サイズ検知処理を行うためにエッジ部検出処理を行う（ステップＳ５１０）。このエッジ検出処理は、ステップＳ５０２の結果から外乱光によるけられを検出するための所定閾値を設定する。このときの所定閾値は、原稿の透過率、外乱光の光量（一般オフィス等の蛍光灯の光量など）、ＣＣＤの感度等から決定される。
【００４２】
次に、外乱光によるけられを検出するために所定閾値と比較して読取り値の中のエッジを検出する（ステップＳ５１１）。主走査位置の例えばＡ３，Ａ４ポイントとＢ５，Ｂ４ポイントの差分を取り、図１２に示した所定閾値分差分があった場合エッジありと検出される。さらに、Ｂ５，Ｂ４ポイントとＡ５，Ａ４Ｒのポイントの差分をとってエッジを検出する。そして、同様にして、最小原稿サイズまでエッジの検出を行う。ステップＳ５１０においてＣＣＤ１４０が原稿情報を読み込んで出力した出力結果に基づいて、原稿Ｄの主走査方向の原稿サイズを検出する（判定する）。
【００４３】
次に、ＣＣＤ１４０の出力特性におけるエッジ検出位置を示している図１２に示すように、エッジが検出された位置を原稿端部と判断し（ステップＳ５１２）、この後、スキャナコントローラ３００は、原稿サイズ検知センサ１５０による副走査方向の原稿サイズの判定結果とＣＣＤ１４０による主走査方向の原稿サイズの判定結果に基づいて、原稿サイズを判定し（特定し）、表示部４００に判定結果を表示する（ステップＳ５１３）。図１３に示すように、この判定結果は原稿サイズを１つに特定したものとなる。
【００４４】
上記処理によれば、画像読取装置のＣＣＤ１４０が外乱光の影響を受け難い場合及びＣＣＤ１４０が外乱光の影響を受け易い場合のいずれの場合であっても、それぞれの場合にてきした原稿サイズの検知処理を行うので、正確な検知が可能であり、且つ、処理工程も簡易であるので原稿サイズの検知の効率化が実現され、これにともなって検知時間の短縮が可能になる。
【００４５】
以上説明したように、本発明の実施の形態に係る画像読取装置では、外周部に原稿サイズラベル２１０が配置され奥側基準突き当て部に原稿合わせマーク２２０が設けられた原稿台ガラス２００と、原稿台ガラス２００上の原稿Ｄに光を照射するランプ１１１と、原稿台ガラス２００上の原稿像を読み取るＣＣＤ１４０とを制御系が備え、ＣＣＤ１４０の出力に基づき外乱光の有無を判断し、ランプ１１１を消灯して原稿面を読み取る消灯読取りの際にＣＣＤ１４０の出力に基づいて外乱光有りと判断した場合に、全てのポイントにて外乱光有りと判断した場合には別処理のエッジ部検出処理を行って原稿台ガラス２００上の原稿サイズを判断し、また、それ以外の場合は外乱光有りと判断したポイントを検知対象から除外し、ランプ１１１を点灯して原稿面を読み取り（点灯読取り）、ＣＣＤ１４０の出力に基づいて原稿台ガラス２００上の原稿サイズを判断することができる。
【００４６】
本発明は、上述した実施の形態の機能を実現するソフトウェアのプログラム（図５のフローチャート）を画像読取装置の不図示のコンピュータ又はＣＰＵに供給し、そのコンピュータ又はＣＰＵが該供給されたプログラムを読出して実行することによって、その目的を達成することができる。
【００４７】
上記プログラムの形態は、オブジェクトコード、インタプリタにより実行されるプログラムコード、ＯＳ（オペレーティングシステム）に供給されるスクリプトデータ等の形態から成ってもよい。
【００４８】
本発明の実施態様の例を以下に列挙する。
【００４９】
〔実施態様１〕  読み取る原稿を載置するための原稿台と、当該原稿台に載置した原稿を照射する光源とを備えた画像読取装置において、副走査方向の原稿サイズが所定のサイズ以下であるか否かを検知する第１の検知手段と、前記副走査方向に直交する主走査方向の原稿サイズを検知する第２の検知手段と、前記第１及び第２の検知手段を制御するとともに前記第１及び第２の検知手段のそれぞれの検知結果から原稿サイズを判断する制御・判断手段とを備え、前記制御・判断手段は、前記光源を消灯したときの前記第２の検知手段の検知結果の出力の中に所定の出力値よりも小さい値の部分が有る場合には第１の原稿サイズ判断処理を行い、前記第２の検知手段の検知結果の出力が所定の出力値以上である場合には第２の原稿サイズ判断処理を行うことを特徴とする画像読取装置。
【００５０】
〔実施態様２〕  前記第１の原稿サイズ判断処理は、前記第２の検知手段の検知結果の出力の内、所定の出力値以上の部分に該当する前記原稿台上の位置を除外して、前記光源を点灯して再度前記第２の検知手段によって検知した検知結果と前記第１の検知手段の検知結果とから原稿サイズを判断する処理であることを特徴とする実施態様１記載の画像読取装置。
【００５１】
〔実施態様３〕  前記第２の原稿サイズ判断処理は、前記光源を消灯したときの前記第２の検知手段の検知結果の出力を閾値と比較してエッジを検出し、当該エッジが検出された位置を原稿端部と判断して、前記第１の検知手段の検知結果とから原稿サイズを判断する処理であることを特徴とする実施態様１記載の画像読取装置。
【００５２】
〔実施態様４〕  読み取る原稿を載置するための原稿台と、当該原稿台に載置した原稿を照射する光源とを備えた画像読取装置の原稿サイズ検出方法であって、副走査方向の原稿サイズが所定のサイズ以下であるか否かを検知する第１の検知ステップと、前記副走査方向に直交する主走査方向の原稿サイズを検知する第２の検知ステップと、前記第１及び第２の検知ステップを制御するとともに前記第１及び第２の検知ステップのそれぞれの検知結果から原稿サイズを判断する制御・判断ステップとを有し、前記制御・判断ステップは、前記光源を消灯したときの前記第２の検知ステップの検知結果の出力の中に所定の出力値よりも小さい値の部分が有る場合には第１の原稿サイズ判断処理を行い、前記第２の検知ステップの検知結果の出力が所定の出力値以上である場合には第２の原稿サイズ判断処理を行う原稿サイズ検出方法。
【００５３】
〔実施態様５〕  前記第１の原稿サイズ判断処理は、前記第２の検知ステップの検知結果の出力の内、所定の出力値以上の部分に該当する前記原稿台上の位置を除外して、前記光源を点灯して再度前記第２の検知ステップを行って検知した検知結果と前記第１の検知ステップの検知結果とから原稿サイズを判断する処理であることを特徴とする実施態様４記載の原稿サイズ検出方法。
【００５４】
〔実施態様６〕  前記第２の原稿サイズ判断処理は、前記光源を消灯したときの前記第２の検知ステップの検知結果の出力を閾値と比較してエッジを検出し、当該エッジが検出された位置を原稿端部と判断して、前記第１の検知ステップの検知結果とから原稿サイズを判断する処理であることを特徴とする実施態様４記載の原稿サイズ検出方法。
【００５５】
〔実施態様７〕  読み取る原稿を載置するための原稿台と、当該原稿台に載置した原稿を照射する光源とを備えた画像読取装置の原稿サイズ検出プログラムであって、副走査方向の原稿サイズが所定のサイズ以下であるか否かを検知する第１の検知ステップと、前記副走査方向に直交する主走査方向の原稿サイズを検知する第２の検知ステップと、前記第１及び第２の検知ステップを制御するとともに前記第１及び第２の検知ステップのそれぞれの検知結果から原稿サイズを判断する制御・判断ステップとを有し、前記制御・判断ステップは、前記光源を消灯したときの前記第２の検知ステップの検知結果の出力の中に所定の出力値よりも小さい値の部分が有る場合には第１の原稿サイズ判断処理を行い、前記第２の検知ステップの検知結果の出力が所定の出力値以上である場合には第２の原稿サイズ判断処理を行うことをコンピュータに実行させる原稿サイズ検出プログラム。
【００５６】
【発明の効果】
以上詳細に説明したように、請求項１に記載の画像読取装置によれば、第１の検知手段によって副走査方向の原稿サイズが所定のサイズ以下であるか否かを検知して、第２の検知手段によって主走査方向の原稿サイズを検知し、制御・判断手段は第１及び第２の検知手段を制御して、光源を消灯したときの第２の検知手段の検知結果の出力の中に所定の出力値よりも小さい値の部分が有る場合には第１の原稿サイズ判断処理を行い、第２の検知手段の検知結果の出力が所定の出力値以上である場合には第２の原稿サイズ判断処理を行い、第１及び第２の検知手段のそれぞれの検知結果から原稿サイズを判断するので、第１の原稿サイズ判断処理によって外乱光の影響がないときの原稿サイズ判断をし、第２の原稿サイズ判断処理によって外乱光の影響があるときの原稿サイズ判断をすることができ、これにより、原稿サイズの誤検知を防止して正確な検知を可能にし、且つ、原稿サイズの検知の効率化による検知時間の短縮を可能にすることができる。
【図面の簡単な説明】
【図１】本発明の実施の形態に係る画像読取装置の画像読取系の概略構成を示す図である。
【図２】図１の画像読取装置の平面図である。
【図３】画像読取装置の制御系の構成を示すブロック図である。
【図４】原稿サイズ判定の際の検知ポイントを示す、図２と同様の平面図である。
【図５】本発明の実施の形態に係る画像読取装置における原稿サイズ検知方法の処理を示すフローチャートである。
【図６】画像読取装置の側方から見た蛍光灯の位置を示す図である。
【図７】画像読取装置の上方から見た蛍光灯の位置を示す図である。
【図８】ＣＣＤ１４０の出力特性を主走査位置との関係により示す図である。
【図９】ＣＣＤ１４０の出力の検知除外範囲を示す図である。
【図１０】ＣＣＤ１４０の出力と主走査位置との関係及びＣＣＤ１４０の出力の検知除外範囲を示す図である。
【図１１】ＣＣＤ１４０の出力特性を主走査位置との関係により示す図である。
【図１２】ＣＣＤ１４０の出力特性におけるエッジ検出位置を示す図である。
【図１３】画像読取装置における原稿サイズ判定結果を示す説明図である。
【符号の説明】
１１１  ランプ
１４０  ＣＣＤ
１４１  Ａ／Ｄ変換回路
１５０  原稿サイズ検知センサ
２００  原稿台ガラス
２１０  原稿サイズラベル
３００  スキャナコントローラ
Ａ  副走査方向
Ｂ  主走査方向
Ｄ  原稿
【図１】
2004264529.tif 000003
【図２】
2004264529.tif 000004
【図３】
2004264529.tif 000005
【図４】
2004264529.tif 000006
【図５】
2004264529.tif 000007
【図６】
2004264529.tif 000008
【図７】
2004264529.tif 000009
【図８】
2004264529.tif 000010
【図９】
2004264529.tif 000011
【図１０】
2004264529.tif 000012
【図１１】
2004264529.tif 000013
【図１２】
2004264529.tif 000014
【図１３】
2004264529.tif 000015